(57)【要約】【課題】  従来の無線受信機では、利用者が報知音に、すぐに飽きてしまうという問題点があったが、利用者が新鮮なメロディを報知音として追加して楽しむことができ、飽きることがない無線受信機を提供する。【解決手段】  データを着信し、着信したデータにメロディを表す情報が含まれる場合には、利用者の指示に従ってメロディのデータを記憶部に格納し、格納したメロディのデータが報知音として選択されているときは、着信すると、選択したメロディのデータで特定されるメロディを鳴動する無線受信機である。【選択図】  図２
2005143136.tif 000002
【特許請求の範囲】
【請求項１】
データを着信し、着信したデータにメロディを表す情報が含まれる場合には、利用者の指示に従ってメロディのデータを記憶部に格納し、格納したメロディのデータが報知音として選択されているときは、着信すると、選択したメロディのデータで特定されるメロディを鳴動することを特徴とする無線受信機。
【請求項２】
請求項１記載の無線受信機であって、前記記憶部は複数のメロディのデータを記憶することが可能であって、着信すると、記憶部に記憶された複数のメロディのデータから選択したメロディのデータで特定されるメロディを鳴動することを特徴とする無線受信機。
【発明の詳細な説明】
【技術分野】
【０００１】
本発明は、音階のある電子音（メロディ）によって、着信を報知する無線受信機に係り、特に着信時のメロディを利用者の好みに応じて換えることができる無線受信機に関する。
【背景技術】
【０００２】
電子音によるメロディの鳴動は、一般的には、音程と音長とを組にしたデータ（以下、「音符データ」と称する）を羅列したメロディのデータに従って、シンセサイザが鳴動するようになっているのが普通である。
【０００３】
従来の無線選択呼出受信機について説明する。
従来の無線選択呼出受信機は、複数のメロディのデータを表す一連の音符データを格納するＥＥＰＲＯＭを備え、利用者がそのうちの一つを選択して、着信の際には当該選択されたメロディがシンセサイザによって鳴動され、着信を報知するようになっていた。
【０００４】
ここで、メロディとしては当該無線選択呼出受信機が生産された時期の流行歌や、童謡のように広く知られた音楽のメロディを流用している場合が多い。
【発明の開示】
【発明が解決しようとする課題】
【０００５】
しかしながら、上記従来の無線選択呼出受信機では、後にメロディを追加することができず、利用者がすぐに飽きてしまうという問題点があった。
【０００６】
本発明は上記実情に鑑みて為されたもので、新たなメロディを追加でき、利用者が新鮮なメロディを楽しむことができ、飽きることがない無線受信機を提供することを目的とする。
【課題を解決するための手段】
【０００７】
上記従来例の問題点を解決するための請求項１記載の発明は、無線受信機において、データを着信し、着信したデータにメロディを表す情報が含まれる場合には、利用者の指示に従ってメロディのデータを記憶部に格納し、格納したメロディのデータが報知音として選択されているときは、着信すると、選択したメロディのデータで特定されるメロディを鳴動することを特徴としており、利用者が報知音を容易に追加できる。
【０００８】
上記従来例の問題点を解決するための請求項２記載の発明は、上記無線受信機において、記憶部は複数のメロディのデータを記憶することが可能であって、着信すると、記憶部に記憶された複数のメロディのデータから選択したメロディのデータで特定されるメロディを鳴動することを特徴としており、利用者が報知音を容易に追加できる。
【発明の効果】
【０００９】
請求項１記載の発明によれば、データを着信し、着信したデータにメロディを表す情報が含まれる場合には、利用者の指示に従ってメロディのデータを記憶部に格納し、格納したメロディのデータが報知音として選択されているときは、着信すると、選択したメロディのデータで特定されるメロディを鳴動することを特徴とする無線受信機としているので、利用者が報知音を容易に追加でき、更にメロディのデータが誤って送信されてきたときに、これを格納しないようにすることができ、操作性を高めることができる効果がある。
【００１０】
請求項２記載の発明によれば、記憶部は複数のメロディのデータを記憶することが可能であって、着信すると、記憶部に記憶された複数のメロディのデータから選択したメロディのデータで特定されるメロディを鳴動することを特徴とする無線受信機としているので、報知音としてのメロディのデータを利用者が好みに応じて容易に追加することができ、飽きることがないという効果がある。
【発明を実施するための最良の形態】
【００１１】
本発明の実施の形態を図面を参照しながら説明する。
本発明に係る無線選択呼出受信機（本受信機）は、メロディのデータをメッセージの一種として着信して、当該データをＥＥＰＲＯＭに格納して、着信を報知するメロディとするものであり、新たなメロディを報知音として追加できる。
【実施例１】
【００１２】
本受信機を図１を使って説明する。図１は、本受信機の構成ブロック図である。
本受信機は、図１に示すように、受信部１と、制御部２と、メモリ３と、ＥＥＰＲＯＭ４と、報知部５と、表示部６と、操作部７とから主に構成されている。
【００１３】
尚、メッセージデータがメロディのデータであるか否かは、例えばメッセージデータの特定の位置（例えばヘッダ部分）に特異的なコードを挿入するようにするか、専用のアドレスを用意して、当該専用のアドレスにて着信することが考えられるが、以下の説明では、メッセージデータの先頭部分に特異的なコードが挿入されている場合を考慮しつつ説明する。
【００１４】
すなわち、メロディのデータを含むメッセージデータは、図２に示すような構造となっているものである。図２は、メロディのデータを含むメッセージデータの構造を表す説明図である。
メロディを含むメッセージデータは、図２（ａ）に示すように、特異的なコードと、音符データとから構成されていれば十分であるが、望ましくは、図２（ｂ）に示すように、メロディのタイトルを表すタイトル情報が付加されていることが考えられる。
【００１５】
以下、本受信機の各部を具体的に説明する。
受信部１は、アンテナに到来した信号を受信して制御部２に出力するものである。
制御部２は、受信部１から入力された信号に含まれるアドレスデータを検出して、当該アドレスデータが自己のアドレスと一致していると、当該アドレスデータに対応するメッセージデータを着信するものである。
【００１６】
また、制御部２は、メッセージデータを着信すると、当該メッセージデータの先頭部分を参照して、それが当該メッセージデータがメロディのデータであることを表すコードと一致するか否かを調べる。
ここで、メッセージデータの先頭部分が当該コードと一致しなければ、制御部２は、メッセージデータをメモリ３に格納するとともに、報知部５に着信を報知させ、表示部６にメッセージを表示する。
【００１７】
一方、メッセージデータの先頭部分が当該コードと一致していれば、制御部２は、当該メッセージデータがメロディのデータであると判断して、ＥＥＰＲＯＭ４に格納するものである。
また、制御部２は、操作部７からの指示に応じてＥＥＰＲＯＭ４に格納されているメロディのデータの一つを選択し、報知音として設定するものである。
【００１８】
メモリ３は、メロディのデータ以外のメッセージデータを格納しているものである。
ＥＥＰＲＯＭ４は、単数又は複数のメロディのデータを報知音として格納しているものであり、具体的には、例えば図３に示すような内容となっている。図３は、ＥＥＰＲＯＭ４の内容の一例を表す説明図である。
【００１９】
報知部５は、制御部２から着信を報知すべき信号の入力を受けて、制御部２に設定されている報知音を鳴動出力して着信を報知するものである。
表示部６は、制御部２からメッセージの表示をすべき指示の入力を受けて、メッセージを表示出力するものである。
【００２０】
次に、本受信機の動作について説明する。
本受信機のアンテナに図２（ｂ）に示すような内容のメッセージデータが、本受信機宛のアドレスデータとともに到来すると、受信部１がこれを受信して、制御部２に出力する。
【００２１】
すると、制御部２がこのメッセージデータを着信し、その先頭部分がメロディのデータであることを表すコードと一致するか否かを調べ、一致するので、引き続くタイトルのデータと音符データとをＥＥＰＲＯＭ４にメロディのデータとして格納する。
そして、利用者が当該メロディのデータを報知音として選択し、設定できるようになり、着信すると、当該メロディが鳴動されるようになる。
【００２２】
尚、メロディのデータは、いわゆる情報サービスの一つとして提供されるようにしておくことが考えられる。具体的には、利用者は当該サービスを提供する提供者に電話をかけて、当該提供者の元に予め登録されているメロディの一つを選択し、自己の所有する本受信機にメッセージデータとして送信してもらうようにする。
【００２３】
また、メロディのデータを着信したときに、制御部２が利用者に当該データをＥＥＰＲＯＭ４に格納するかを確認する指示を求めるようにしておいても構わない。
このようにすれば、メロディのデータが誤って送信されてきたときに、これを格納しないようにすることができ、操作性を高めることができる効果がある。
【００２４】
本受信機によれば、報知音としてのメロディのデータを利用者が好みに応じて容易に追加することができ、飽きることがないという効果がある。
【００２５】
尚、ここでは、メロディのデータを特定のコードが付加されたメッセージデータとして送信する例を示しているが、これとは別に、本来メッセージを着信するのとは別のアドレスでメロディのデータを着信することとしておいても構わない。
【００２６】
この場合には、本受信機には、メッセージを着信する第１のアドレスと、メロディのデータを着信する第２のアドレスの２つのアドレスが割り当てられることとなり、第２のアドレスでデータを着信すると、制御部２が当該データはメロディのデータであると判断して、ＥＥＰＲＯＭ４に格納するようにしておけばよい。つまり、利用者が第２のアドレスで着信した当該メロディのデータを報知音として選択し、設定できるようになり、着信すると、当該メロディが鳴動されるようになる。
【図面の簡単な説明】
【００２７】
【図１】本受信機の構成ブロック図である。
【図２】メロディのデータを含むメッセージデータの構造を表す説明図である。
【図３】ＥＥＰＲＯＭ４の内容の一例を表す説明図である。
【符号の説明】
【００２８】
１…受信部、  ２…制御部、  ３…メモリ、  ４…ＥＥＰＲＯＭ、  ５…報知部、  ６…表示部、  ７…操作部
【図１】
2005143136.tif 000003
【図２】
2005143136.tif 000004
【図３】
2005143136.tif 000005